(57)【要約】【課題】  編集工程無しで、音声と映像を同時に視聴出来るようにする。同期して，映像を再生する。【解決手段】  映像再生部（２２）は、映像記録媒体（２０）に記録される映像データを再生する。外部音声入力端子（１０）に外部から音声が入力する。接続検出部（１２）は、外部音声入力端子（１０）への音声ケーブルの接続の有無を検出する。音声レベル検出部（１４）及び音声レベル比較部（１６）により、音声入力の有無を検出する。音声閾値時間計測部（１８）は、無音声の時間を計測する。映像再生制御部（２４）は、接続検出部（１２）、音声レベル比較部（１６）及び音声閾値時間計測部（１８）の出力に従い、映像再生部（２２）による映像再生を制御する。【選択図】  図１
2011044976.tif 000002
【特許請求の範囲】
【請求項１】
映像記録媒体に記録される映像データを再生する映像再生手段と、
外部から音声を入力する外部音声入力手段と、
前記外部音声入力手段による音声入力を検出する音声入力検出手段と、
前記音声入力検出手段で検出される音声入力の有無に従い、前記映像再生手段の再生動作を制御する映像再生制御手段
とを具備し、
前記映像再生制御手段は、前記音声入力があり、かつ前記映像再生手段が映像再生中でないときには、前記映像再生手段に映像再生を開始させ、前記音声入力が無いときには、前記映像再生手段による映像再生を停止する
ことを特徴とする映像再生装置。
【請求項２】
前記音声入力検出手段は、前記外部音声入力手段から入力する音声のレベルを検出する音声レベル検出手段と、前記音声レベル検出手段で検出される音声レベルが閾値を超えるか否かを検出する音声レベル比較手段とを具備することを特徴とする請求項１に記載の映像再生装置。
【請求項３】
更に、前記外部音声入力手段により入力される音声信号のレベルを変換する音声レベル変換手段を有し、
前記映像再生制御手段は、前記映像再生手段が映像再生を停止しているとき、前記音声レベル変換手段を音声をミュートする状態に制御する
ことを特徴とする請求項１又は２に記載の映像再生装置。
【請求項４】
更に、前記外部音声入力手段により入力される音声信号のレベルを変換する音声レベル変換手段と、ユーザが操作する操作手段とを具備し、
前記映像再生制御手段は、前記操作手段による再生停止操作に従い、前記映像再生手段に映像再生を停止させ、前記音声レベル変換手段を音声をミュートする状態に制御する
ことを特徴とする請求項１又は２に記載の映像再生装置。
【発明の詳細な説明】
【技術分野】
【０００１】
本発明は、映像再生装置に関し、特に音声により再生動作を制御される映像再生装置に関する。
【背景技術】
【０００２】
【先行技術文献】
【特許文献】
【０００３】
【特許文献１】特開平７−６４７６１号公報
【特許文献２】特開平５−１５０７０５号公報
【０００４】
従来、映像再生装置として、ビデオデッキ、ＤＶＤ再生装置、ビデオカメラ及び電子スチルカメラなどがある。記録されている音声の状態により映像信号の再生を制御する技術が特許文献１に記載されている。
【０００５】
音声入力の有無により音声記録動作を制御する音声記録装置が、特許文献２に記載されている。
【発明の概要】
【発明が解決しようとする課題】
【０００６】
別々に記録された映像信号と音声信号を別々の機器で同時に再生して鑑賞する場合、例えば、映像信号の再生中に音声信号の再生が停止したとしても、ユーザが特に操作を行わなければ映像信号の再生は継続することになる。そうすると、ユーザは再生音声と共に再生映像を視聴していた状態から、映像のみを見る状態となり、映像の視聴を十分に楽しめなくなってしまう場合などがあった。また、逆に、音声だけが流れ続けることになってしまい、映像の再生が終わったときに、音声を手動で停止させなければならなかった。
【０００７】
本発明は、このような不都合を解消し、別の機器で再生された音声に連動して、映像の再生の停止や再開、音声の出力等を制御する映像再生装置を提示することを目的とする。
【課題を解決するための手段】
【０００８】
本発明に係る映像再生装置は、映像記録媒体に記録される映像データを再生する映像再生手段と、外部から音声を入力する外部音声入力手段と、前記外部音声入力手段による音声入力を検出する音声入力検出手段と、前記音声入力検出手段で検出される音声入力の有無に従い、前記映像再生手段の再生動作を制御する映像再生制御手段とを具備し、前記映像再生制御手段は、前記音声入力があり、かつ前記映像再生手段が映像再生中でないときには、前記映像再生手段に映像再生を開始させ、前記音声入力が無いときには、前記映像再生手段による映像再生を停止することを特徴とする。
【発明の効果】
【０００９】
本発明によれば、別の機器で再生された音声と、映像とを合わせて鑑賞できることを可能とする。
【図面の簡単な説明】
【００１０】
【図１】本発明の第１実施例の概略構成ブロック図を示す。
【図２】第１実施例の制御フローチャートである。
【図３】本発明の第２実施例の概略構成ブロック図である。
【図４】第２実施例の制御フローチャートである。
【図５】本発明の第３実施例の概略構成ブロック図である。
【図６】第３実施例の制御フローチャートである。
【発明を実施するための形態】
【００１１】
以下、図面を参照して、本発明の実施例を詳細に説明する。
【実施例１】
【００１２】
図１は、本発明に係る映像再生装置の第１実施例の概略構成ブロック図を示す。外部音声入力端子１０には、外部の音声ソースから音声信号が入力する。接続検出部１２は、外部音声入力端子１０に音声ケーブルが接続されたか否かを検出する。音声レベル検出部１４は、外部音声入力端子１０から入力する音声信号のレベルを検出する。音声レベル比較部１６は、音声レベル検出部１４により検出される音声レベルを閾値と比較し、閾値以上の場合にＨ（高）信号又は有音検出信号を出力し、閾値未満の場合にＬ（低）信号又は無音検出信号を出力する。音声レベル検出部１４と音声レベル比較部１６からなる部分が，音声入力の有無を検出する音声入力検出手段として機能する。計測部１８は、音声レベル比較部１６のＬ出力が継続する間の時間を計測する。
【００１３】
映像記録媒体２０は、再生すべき映像データを記録した記録媒体であり、不揮発性半導体メモリ又はハードディスク等からなる。映像データは、動画データ又は静止画データからなる。映像記録媒体２０には、所定時間の動画又は所定枚数の静止画像を記憶可能である。映像再生部２２は、映像記録媒体２０に記録される映像データを再生し、所定形式の再生映像信号を出力する。
【００１４】
映像再生制御部２４は、接続検出部１２の出力、音声レベル比較部１６の比較結果出力及び計測部１８の出力に従い、映像再生部２２の再生動作を制御する。
【００１５】
音声出力部２６は、外部音声入力端子１０から入力した音声信号を外部に出力する。映像出力部２８は、映像再生部２２からの再生映像信号を外部に出力する。
【００１６】
映像再生制御部２４は映像再生部２２を制御して、映像記録媒体２０に記録された映像を、例えば、記録順に順次再生するスライドショー再生を行わせることができる。スライドショー再生は、記録順の他に、映像中の特定色の割合の高い順、輝度の高い順、音量の大きい順、特定の音声周波数が高い順などが適用可能である。また、スライドショー再生では、動画と静止画を混在して再生でき、動画と静止画を別々にしても再生できる。また、映像再生制御部２４は、映像再生一時停止カウンタ３０に、映像の再生を一時停止させておく時間をセットする。映像再生一時停止カウンタ３０の詳細な機能は、後述する。
【００１７】
図２は、本実施例の動作フローチャートを示す。図２を参照して、本実施例の動作を説明する。本実施例において、映像再生とは、上述したスライドショー再生などを行うことであり、動画を通常再生する処理や、静止画を所定の秒数ずつ再生して表示させる処理を言う。また、映像再生停止とは、上述したスライドショー再生を止めて、動画の表示をやめたり、静止画の表示をやめたりして、その後、例えば映像を選択する選択画面を表示したりすることを言う。また、映像再生一時停止とは、例えば、動画の再生を途中で停止させ、ストップ映像を表示した状態で表示を止めておくことや、静止画のスライドショーを停止させ、次の静止画の表示への移行を行わないことを言う。
【００１８】
接続検出部１２が、外部音声入力端子１０に音声ケーブルが接続しているか否かを検出する（Ｓ１）。音声ケーブルが外部音声入力端子１０に接続されている場合（Ｓ１）、音声レベル検出部１４が、外部音声入力端子１０から入力する音声のレベルを検出する（Ｓ４）。音声レベル比較部１６が音声レベル検出部１４により検出される音声レベルを所定の閾値Ｖｔｈと比較することで、音声入力の有無を判定又は検出する（Ｓ５）。
【００１９】
音声入力がある場合（Ｓ５でＹ）、映像再生制御部２４は、映像再生部２２が映像記録媒体２０の記録映像を再生中か否かを判断する（Ｓ６）。映像再生中の場合（Ｓ６でＹ）、映像再生制御部２４は、映像再生部２２に映像再生を継続させ（Ｓ７）、ステップＳ１に戻る。映像再生中でない場合（Ｓ６でＮ）、映像再生制御部２４は、映像再生部２２に映像記録媒体２０に記録された所定の映像の再生を開始させる（Ｓ８）。再生を一時停止した映像が動画である場合、映像再生部２２は、再生を一時停止した位置からその動画の再生を再開する。再生を一時停止した映像が静止画である場合、映像再生部２２は、次の静止画を再生する。このように映像再生を開始又は再開し（Ｓ８）、ステップＳ１に戻る。すなわち、Ｓ８では、映像再生一時停止状態から復帰する場合、一時停止されていた映像が動画であれば、一時停止されているストップ映像の次のフレームから表示が始まることになる。そして、一時停止されていた映像が静止画であれば、次の静止画から表示が始まることになる。静止画の表示においては、例えば１０秒ごとに次の静止画が表示されるようなスライドショーが、ある静止画Ａを表示している際に、残り２秒の地点で一時停止がされることがある。しかし、再生再開されると、残りの２秒分の静止画Ａの表示は行わず、次の静止画Ｂの表示を行うように本実施例では行うものとする。この様にすることにより、ユーザは、映像再生として静止画の再生が行われていたとしてもすぐに一時停止から再開されたことがわかるようになる。
【００２０】
音声が実質的に入力されていない場合も（Ｓ５でＮ）、映像再生制御部２４は、映像再生部２２が映像記録媒体２０の記録映像を再生中か否かを判断する（Ｓ９）。映像再生中の場合（Ｓ９でＹ）、映像再生制御部２４は、映像再生部２２に映像再生を一時停止させる（Ｓ１０）。映像再生制御部２４は、映像再生一時停止カウンタ３０に所定の正値をセットする（Ｓ１１）。そして、ステップＳ１に戻る。映像再生一時停止カウンタ３０にセットされる正値は、再生を一時停止する時間の閾値を規定する。
【００２１】
映像再生中で無い場合（Ｓ９）、映像再生制御部２４は、映像再生の一時停止中で、かつ、映像再生一時停止カウンタのカウント値が正値であるかどうかを判断する（Ｓ１２）。映像再生の一時停止中で、かつ、映像再生一時停止カウンタのカウント値が正値である場合（Ｓ１２）、映像再生制御部２４は、映像再生一時停止カウンタをデクリメントして（Ｓ１３）、ステップＳ１に戻る。すなわち、ステップＳ１２で規定される条件が成立するたびに、映像再生一時停止カウンタのカウント値が減少する。
【００２２】
映像再生の一時停止状態でない場合、又は、映像再生一時停止カウンタが０以下の場合には（Ｓ１２）、映像再生制御部２４は、映像再生部２２に映像再生を停止させ（Ｓ１４）、ステップＳ１に戻る。
【００２３】
音声ケーブルが外部音声入力端子１０に接続されていない場合（Ｓ１）、映像再生制御部２４は、映像再生部２２に映像再生を停止させる（Ｓ２）。映像再生制御部２４は、映像再生一時停止カウンタをゼロでクリアする（Ｓ３）。この後、ステップＳ１に戻る。
【００２４】
このように、本実施例では、音声入力無しで（Ｓ５）、映像再生中である場合（Ｓ９）、映像再生を一時停止し（Ｓ１０）、音声入力の検出により映像再生を再開する（Ｓ８）。動画の場合、再生を一時停止した位置からその動画の再生を再開し、静止画の再生を一時停止していた場合には、次の静止画を再生する。
【実施例２】
【００２５】
図３は、本発明に係る映像再生装置の第２実施例の概略構成ブロック図を示し、図４は、その動作フローチャートを示す。
【００２６】
外部音声入力端子１１０には、外部の音声ソースから音声信号が入力する。音声レベル検出部１１４及び音声レベル比較部１１６は、それぞれ、音声レベル検出部１４及び音声レベル比較部１６と同様に機能する。
【００２７】
映像記録媒体１２０は、再生すべき映像データを記録した、映像記録媒体２０と同様の記録媒体である。映像再生部１２２は、映像記録媒体１２０に記録される映像データを再生し、所定形式の再生映像信号を出力する。
【００２８】
映像再生制御部１２４は、音声レベル比較部１６の比較結果に従い、映像再生部１２２の再生動作を制御し、音声レベル変換部１２５の音声出力レベルを制御する。
【００２９】
音声レベル変換部１２５は、外部音声入力端子１１０からの音声信号を、映像再生制御部１２４により制御される音声レベルに変換して音声出力部１２６に供給する。音声出力部１２６は、音声レベル変換部１２５からの音声信号を外部に出力する。映像出力部１２８は、映像再生部１２２からの再生映像信号を外部に出力する。
【００３０】
映像再生制御部１２４は、映像再生制御部２４と同様に、映像再生部１２２を制御して、映像記録媒体１２０に記録された映像を、例えば、記録順に順次再生するスライドショー再生を行わせることができる。
【００３１】
図４に示すフローチャートを参照して、本実施例の特徴的な動作を説明する。
【００３２】
音声レベル検出部１１４が外部音声入力端子１１０から入力する音声信号のレベルを検出する（Ｓ２１）、音声レベル比較部１１６が、入力音声レベルを閾値Ｖｔｈと比較して、音声入力の有無を判定する（Ｓ２２）。
【００３３】
音声入力がある場合（Ｓ２２）、映像再生制御部１２４が、映像再生部１２２による映像再生中か否かを判断する（Ｓ２３）。映像再生中である場合（Ｓ２３）、映像再生制御部１２４は映像再生部１２２に映像再生を継続させ（Ｓ２４）、ステップＳ２１に戻る。映像再生中でない場合（Ｓ２３）、映像再生制御部１２４は、映像再生部１２２による映像再生が終了したかを確認する（Ｓ２５）。映像再生が終了している場合（Ｓ２６）、映像再生制御部１２４は音声レベル変換部１２５を音声ミュートするように制御する（Ｓ２７）。これにより、外部音声入力端子１１０から入力した音声が、音声出力部１２６から出力されなくなる。そして、ステップＳ２１に戻る。
【００３４】
他方，映像再生が終了していない場合（Ｓ２６）、映像再生制御部１２４は、映像再生部１２２に映像再生を開始させる（Ｓ２８）。すなわち、直前の映像再生が最後まで実行されて停止していたときには（Ｓ２６）、次の映像の再生を開始し（Ｓ２８）、途中で再生を停止したときには（Ｓ２６）、停止位置から映像再生を再開する（Ｓ２８）。再生を一時停止した映像が動画である場合、映像再生部２２は、再生を一時停止した位置からその動画の再生を再開する。再生を一時停止した映像が静止画である場合、映像再生部２２は、次の静止画を再生する。このように映像再生を開始又は再開し（Ｓ２８）、ステップＳ２１に戻る。
【００３５】
音声入力が無い場合（Ｓ２２）、映像再生制御部１２４は、映像再生部１２２に映像再生を停止させ（Ｓ２９），ステップＳ２１に戻る。
【００３６】
このように、本実施例では、音声入力が無いと（Ｓ２２）、映像再生を停止する（Ｓ２９）。映像再生停止の後に音声が入力した場合（Ｓ２２）、直前の映像再生が最後まで実行されて停止していたときには（Ｓ２６）、音声をミュートし（Ｓ２７）、途中で再生を停止していたときには（Ｓ２６）、映像再生を再開する（Ｓ２８）。
【実施例３】
【００３７】
図５は、本発明の第３実施例の概略構成ブロック図を示す。図３に示す実施例と同じ機能の要素には同じ符号を付してある。映像再生制御部１３２は、音声レベル比較部１１６の出力と操作部１３０によるユーザの操作に従い、映像再生部１２２及び音声レベル変換部１２５を制御する。
【００３８】
図６は、本実施例の動作フローチャートを示す。図６を参照して、本実施例の特徴的な動作を説明する。
【００３９】
音声レベル検出部１１４が外部音声入力端子１１０から入力する音声信号のレベルを検出する（Ｓ３１）、音声レベル比較部１１６が、入力音声レベルを閾値Ｖｔｈと比較して、音声入力の有無を判定する（Ｓ３２）。
【００４０】
音声入力がある場合（Ｓ３２）、映像再生制御部１３２は、操作部１３０の操作の有無と内容を確認し（Ｓ３３）。操作部１３０により再生停止操作が入力された場合（Ｓ３４）、映像再生制御部１３２は映像再生部１２２に映像再生を停止させ（Ｓ３５）、音声レベル変換部１２５を音声ミュートするように制御する（Ｓ３６）。これにより、外部音声入力端子１１０から入力した音声が、音声出力部１２６から出力されなくなる。そして、ステップＳ３１に戻る。
【００４１】
操作部１３０の操作が無いか、又は、操作があっても、その操作が再生停止操作でない場合（Ｓ３４）、映像再生制御部１３２が、映像再生部１２２による映像再生中か否かを判断する（Ｓ３７）。映像再生中である場合（Ｓ３７）、映像再生制御部１３２は映像再生部１２２に映像再生を継続させ（Ｓ３８）、ステップＳ３１に戻る。映像再生中でない場合（Ｓ３７）、映像再生制御部１３２は、映像再生部１２２に映像再生を開始又は再開させる（Ｓ３９）。すなわち、直前の映像再生が最後まで実行されて停止していたときには、次の映像の再生を開始し、途中で再生を停止したときには、停止位置から映像再生を再開する。再生を一時停止した映像が動画である場合、映像再生部２２は、再生を一時停止した位置からその動画の再生を再開する。再生を一時停止した映像が静止画である場合、映像再生部２２は、次の静止画を再生する。このように映像再生を開始又は再開し（Ｓ３９）、ステップＳ３１に戻る。
【００４２】
音声入力が無い場合（Ｓ３２）、映像再生制御部１３２は、映像再生部１２２に映像再生を停止させ（Ｓ４０）、ステップＳ３１に戻る。
【００４３】
このように、本実施例では、音声入力が無いと（Ｓ３２）、映像再生を停止する（Ｓ４０）。映像再生停止の後に音声が入力した場合で（Ｓ３２）、映像再生を停止したときには映像再生を開始する（Ｓ３７，Ｓ３９）。再生停止操作があったときに（Ｓ３４）、音声をミュートする（Ｓ３６）。
【００４４】
上記各実施例は、ビデオカメラ、パーソナルコンピュータ、ハードディスクレコーダ、及びポータブルプレイヤーなど、映像を再生する機器一般に適用可能である。
【００４５】
上記各実施例の機能を１つの装置に組み入れることが可能である。
【符号の説明】
【００４６】
１０，１１０：外部音声入力端子
１２０：映像記録媒体
１２２：映像再生部
２４，１２４，１３２：映像再生制御部
【図１】
2011044976.tif 000003
【図２】
2011044976.tif 000004
【図３】
2011044976.tif 000005
【図４】
2011044976.tif 000006
【図５】
2011044976.tif 000007
【図６】
2011044976.tif 000008